【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
遊技に関する情報を記憶した記憶手段と、遊技に関する制御を行う制御手段と、を備えた遊技機において、
判別条件の成立に基づいて判別を実行する判別手段と、
その判別手段による判別で特定の判別結果となったことに基づいて遊技者に有利な特典遊技を実行する特典遊技実行手段と、
その特典遊技実行手段により実行される前記特典遊技の種別を複数の特典遊技種別の中から決定する特典遊技種別決定手段と、
その特典遊技種別決定手段によって決定された前記特典遊技種別に対応する遊技状態を、前記特典遊技の終了条件が成立したことに基づいて設定する遊技状態設定手段と、を備え、
前記記憶手段は、前記遊技状態設定手段によって遊技状態を設定するための設定データと、その設定データを識別するための識別データと、を対応させて前記遊技状態毎に規定した規定情報を記憶しているものであり、
前記遊技機は、
前記特典遊技種別決定手段により前記特典遊技種別が決定されたことに基づいて、その決定された特典遊技種別に対応する前記識別データを前記記憶手段から選択する選択手段と、
その選択手段によって選択された前記識別データを少なくとも前記特典遊技の終了条件が成立するまで保持する保持手段と、を備え、
前記遊技状態設定手段は、前記保持手段によって保持されている前記識別データに対応する前記設定データを、前記特典遊技の終了条件の成立に基づいて前記規定情報から読み出して設定するものであり、
前記保持手段は、前記遊技機の電源が遮断された後も、前記識別データを保持可能に構成されているものであり、
前記特典遊技の終了条件が成立したことに基づいて設定され得る前記設定データのうち少なくとも一部は、前記特典遊技の実行中に使用される設定データとは異なるデータで構成されていることを特徴とする遊技機。
【請求項２】
前記制御手段を収納することが可能な収納手段を備えることを特徴とする請求項１記載の遊技機。
【手続補正２】
【補正対象書類名】明細書
【補正対象項目名】０００２
【補正方法】変更
【補正の内容】
【０００２】
パチンコ機等の遊技機には、始動入賞口への遊技球の入賞に基づいて取得した乱数値を用いて、当たり状態とするか否かの抽選を行うものがある。
【手続補正３】
【補正対象書類名】明細書
【補正対象項目名】０００４
【補正方法】変更
【補正の内容】
【０００４】
しかしながら、かかる遊技機では、当たり状態の終了後等に遊技状態を好適に設定することができなくなってしまう虞があった。
【手続補正４】
【補正対象書類名】明細書
【補正対象項目名】０００５
【補正方法】変更
【補正の内容】
【０００５】
本発明は、上記例示した問題点等を解決するためになされたものであり、遊技状態を好適に設定できる遊技機を提供することを目的としている。
【手続補正５】
【補正対象書類名】明細書
【補正対象項目名】０００６
【補正方法】変更
【補正の内容】
【０００６】
この目的を達成するために請求項１記載の遊技機は、遊技に関する情報を記憶した記憶手段と、遊技に関する制御を行う制御手段と、を備えるものであり、判別条件の成立に基づいて判別を実行する判別手段と、その判別手段による判別で特定の判別結果となったことに基づいて遊技者に有利な特典遊技を実行する特典遊技実行手段と、その特典遊技実行手段により実行される前記特典遊技の種別を複数の特典遊技種別の中から決定する特典遊技種別決定手段と、その特典遊技種別決定手段によって決定された前記特典遊技種別に対応する遊技状態を、前記特典遊技の終了条件が成立したことに基づいて設定する遊技状態設定手段と、を備え、前記記憶手段は、前記遊技状態設定手段によって遊技状態を設定するための設定データと、その設定データを識別するための識別データと、を対応させて前記遊技状態毎に規定した規定情報を記憶しているものであり、前記遊技機は、前記特典遊技種別決定手段により前記特典遊技種別が決定されたことに基づいて、その決定された特典遊技種別に対応する前記識別データを前記記憶手段から選択する選択手段と、その選択手段によって選択された前記識別データを少なくとも前記特典遊技の終了条件が成立するまで保持する保持手段と、を備え、前記遊技状態設定手段は、前記保持手段によって保持されている前記識別データに対応する前記設定データを、前記特典遊技の終了条件の成立に基づいて前記規定情報から読み出して設定するものであり、前記保持手段は、前記遊技機の電源が遮断された後も、前記識別データを保持可能に構成されているものであり、前記特典遊技の終了条件が成立したことに基づいて設定され得る前記設定データのうち少なくとも一部は、前記特典遊技の実行中に使用される設定データとは異なるデータで構成されている。
【手続補正６】
【補正対象書類名】明細書
【補正対象項目名】０００９
【補正方法】変更
【補正の内容】
【０００９】
本発明の遊技機によれば、遊技に関する情報を記憶した記憶手段と、遊技に関する制御を行う制御手段と、を備えるものであり、判別条件の成立に基づいて判別を実行する判別手段と、その判別手段による判別で特定の判別結果となったことに基づいて遊技者に有利な特典遊技を実行する特典遊技実行手段と、その特典遊技実行手段により実行される前記特典遊技の種別を複数の特典遊技種別の中から決定する特典遊技種別決定手段と、その特典遊技種別決定手段によって決定された前記特典遊技種別に対応する遊技状態を、前記特典遊技の終了条件が成立したことに基づいて設定する遊技状態設定手段と、を備え、前記記憶手段は、前記遊技状態設定手段によって遊技状態を設定するための設定データと、その設定データを識別するための識別データと、を対応させて前記遊技状態毎に規定した規定情報を記憶しているものであり、前記遊技機は、前記特典遊技種別決定手段により前記特典遊技種別が決定されたことに基づいて、その決定された特典遊技種別に対応する前記識別データを前記記憶手段から選択する選択手段と、その選択手段によって選択された前記識別データを少なくとも前記特典遊技の終了条件が成立するまで保持する保持手段と、を備え、前記遊技状態設定手段は、前記保持手段によって保持されている前記識別データに対応する前記設定データを、前記特典遊技の終了条件の成立に基づいて前記規定情報から読み出して設定するものであり、前記保持手段は、前記遊技機の電源が遮断された後も、前記識別データを保持可能に構成されているものであり、前記特典遊技の終了条件が成立したことに基づいて設定され得る前記設定データのうち少なくとも一部は、前記特典遊技の実行中に使用される設定データとは異なるデータで構成されている。
【手続補正７】
【補正対象書類名】明細書
【補正対象項目名】００１０
【補正方法】変更
【補正の内容】
【００１０】
これにより、遊技状態を好適に設定できるという効果がある。
【手続補正８】
【補正対象書類名】明細書
【補正対象項目名】０５１０
【補正方法】変更
【補正の内容】
【０５１０】
１０                      パチンコ機（遊技機）
１１０                    主制御装置（制御手段）
２０２                    ＲＯＭ（記憶手段）
２０２ｆ 状態設定テーブル（記憶手段）
２０２ｈ                  大当たり終了時クリアテーブル（記憶手段）
２０２ｊ                  大当たり終了時初期値設定テーブル（記憶手段）
２０３ ＲＡＭ（保持手段）
２０３ｅ 各種設定値格納エリア（保持手段）
Ｓ４０２ 特典遊技種別決定手段
Ｓ５０１，Ｓ５０４ 選択手段
Ｓ１３０６，Ｓ１３０９ 遊技状態設定手段
Ｓ１３１２                読出制御処理
Ｓ１４０２                制御データ判別手段、処理移行手段
Ｓ１５０２，Ｓ１５１３    読み出し処理
Ｓ１５０４，Ｓ１５１１，Ｓ１５１５    設定処理